(57)【要約】  受信器は、キャリア・トラッキング・ループ（ＣＴＬ）、フィルタ、ルックアップ・テーブル及びローテータを備える。ＣＴＬは、同相信号成分及び直交信号成分を有するベースバンド信号を供給する。フィルタは、各成分に関連したＤＣオフセット・レベルをルックアップ・テーブルに供給し、ルックアップ・テーブルはそれに応じて、位相調節信号をローテータに供給する。ローテータは次いで、キャリア位相不定性を補正するために位相調節信号の関数としてベースバンド信号を回転させる。
2007537669.tif 000002
【特許請求の範囲】
【請求項１】
受信器であって、
パイロット信号を含む受信信号をダウンコンバートして、前記受信されたパイロット信号の前記ダウンコンバートから生じるＤＣオフセット・レベルを有するダウンコンバート信号を供給するダウンコンバータと、
前記ダウンコンバート信号から前記ＤＣオフセット・レベルを除去して、フィルタリングされた信号を供給するフィルタと、
前記ダウンコンバート信号の前記ＤＣオフセット・レベルの関数として、前記フィルタリングされた信号の位相を補正する位相補正器とを備えることを特徴とする受信器。
【請求項２】
請求項１記載の受信器であって、前記位相補正器は、
前記ＤＣオフセット・レベルからキャリア位相補正値をもたらすルックアップ・テーブルと、
前記フィルタリングされた信号を前記キャリア位相補正値、回転させて位相を補正するローテータとを備えることを特徴とする受信器。
【請求項３】
請求項１記載の受信器であって、前記受信信号が、ＡＴＳＣ−ＤＴＶ（高度テレビジョン方式委員会‐ディジタル・テレビジョン）信号を表すことを特徴とする受信器。
【請求項４】
請求項１記載の受信器であって、前記受信信号は、同相成分及び直交成分を有する複素信号であり、前記ダウンコンバータは、成分毎にＤＣオフセット・レベルを供給することを特徴とする受信器。
【請求項５】
請求項１記載の受信器であって、前記ＤＣオフセット・レベルは、前記受信信号に関連した位相不定性を表し、前記位相補正器は、ホールド動作モードにおいて前記位相補正器が、前記受信信号の前記位相不定性をトラッキングしないようなホールド動作モードを有することを特徴とする受信器。
【請求項６】
受信器において用いる方法であって、
（ａ）パイロット信号を含む受信信号をダウンコンバートして、前記受信されたパイロット信号の前記ダウンコンバートから生じるＤＣオフセット・レベルを有するダウンコンバート信号を供給する工程と、
（ｂ）前記ＤＣオフセット・レベルを除去するよう前記ダウンコンバート信号をフィルタリングして、フィルタリングされた信号を供給する工程と、
（ｃ）前記ダウンコンバート信号の前記ＤＣオフセット・レベルの関数として、前記フィルタリングされた信号の位相を補正する工程とを備えることを特徴とする方法。
【請求項７】
請求項６記載の方法であって、前記補正する工程は、
キャリア位相補正値をもたらすよう前記ＤＣオフセット・レベルによってルックアップ・テーブルをアドレス指定する工程と、
前記フィルタリングされた信号を前記キャリア位相補正値、回転させて位相を補正する工程とを備えることを特徴とする方法。
【請求項８】
請求項６記載の方法であって、前記受信信号が、ＡＴＳＣ−ＤＴＶ（高度テレビジョン方式委員会‐ディジタル・テレビジョン）信号を表すことを特徴とする方法。
【請求項９】
請求項６記載の方法であって、前記受信信号は、同相成分及び直交成分を有する複素信号であり、前記ダウンコンバートする工程は、成分毎にＤＣオフセット・レベルを供給することを特徴とする方法。
【請求項１０】
請求項６記載の方法であって、前記ＤＣオフセット・レベルは、前記受信信号に関連した位相不定性を表し、
いくつかの動作モードのうちの１つを選択する工程を更に備え、
少なくとも１つの動作モードは、トラック・モードが選択された場合、工程（ｃ）が前記受信信号の位相不定性をトラッキングするようなトラック・モードであり、
別のモードは、ホールド・モードが選択された場合、工程（ｃ）は前記受信信号の前記位相不定性をトラッキングしないようなホールド・モードであることを特徴とする方法。
【発明の詳細な説明】
【技術分野】
【０００１】
本発明は一般に通信システムに関し、特に受信器に関する。
【背景技術】
【０００２】
ＡＴＳＣ−ＤＴＶ（米国高度テレビジョン方式委員会・ディジタル・テレビジョン）システム（例えば、Ｕｎｉｔｅｄ  Ｓｔａｔｅｓ  Ａｄｖａｎｃｅｄ  Ｔｅｌｅｖｉｓｉｏｎ  Ｓｙｓｔｅｍｓ  Ｃｏｍｍｉｔｔｅｅ，  「ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５３，  Ｓｅｐｔｅｍｂｅｒ  １６，  １９９５、及び「Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ」，  Ｄｏｃｕｍｅｎｔ  Ａ／５４，  Ｏｃｔｏｂｅｒ  ４，  １９９５参照。）のような、現代のディジタル通信システムでは、高度変調、チャネル符号化及び等化が通常、施される。ＡＴＳＣ−ＤＴＶでは、変調システムは、平均信号電力を１１．３ｄＢ下回る抑制キャリア周波数で、微小な同相パイロットが付加された抑制キャリア残留側波帯（ＶＳＢ）変調から成る。
【発明の開示】
【発明が解決しようとする課題】
【０００３】
残念ながら、受信ＡＴＳＣ−ＤＴＶ信号の処理において、受信器復調器手法は一般に、その位相及び時間の検出器の設計による固有のキャリア位相及び／又はシンボル・タイミングの不定性を有する。
【課題を解決するための手段】
【０００４】
本発明の原理によれば、受信器は、信号に関連した少なくとも１つのＤＣオフセット・レベルを供給するフィルタと、少なくとも１つのＤＣオフセット・レベルの関数として信号の位相を補正する位相補正器とを備える。
【０００５】
本発明の実施例では、ＡＴＳＣ受信器は、キャリア・トラッキング・ループ（ＣＴＬ）、フィルタ、ルックアップ・テーブル及びローテータを備える。ＣＴＬは、同相信号成分及び直交信号成分を有するベースバンド信号を供給する。フィルタは、各成分に関連したＤＣオフセット・レベルをルックアップ・テーブルに供給し、ルックアップ・テーブルはそれに応じて、位相調節信号をローテータに供給する。ローテータは次いで、キャリア位相不定性を補正するために、位相調節信号の関数としてベースバンド信号を回転させる。
【０００６】
本発明の別の実施例では、ＡＴＳＣ受信器は、キャリア・トラッキング・ループ（ＣＴＬ）、フィルタ、及び位相補正器エレメントを備える。ＣＴＬは、同相信号成分及び直交信号成分を有するベースバンド信号を供給する。フィルタは、各成分に関連したＤＣオフセット・レベルを位相補正器エレメントに供給する。後者は、少なくとも２つの動作モード（トラック・モード及びホールド・モード）を有する。トラック・モードでは、位相補正器エレメントは、ベースバンド信号の位相不定性をトラッキングし、ベースバンド信号の各成分に関連したＤＣオフセット・レベルの関数としてベースバンド信号の位相を調節する。ホールド・モードでは、位相補正器エレメントはベースバンド信号の位相不定性をトラッキングせず、固定の位相調節をベースバンド信号に施す。
【発明を実施するための最良の形態】
【０００７】
本発明の概念以外では、添付図面に示したエレメントは周知であり、詳細に説明しない。更に、テレビジョン放送及び受信器をよく知っていることを前提とし、本明細書には詳細に説明しない。例えば、本発明の概念以外では、ＴＶ標準（ＮＴＳＣ（米国テレビジョン方式委員会）、ＰＡＬ（位相反転走査線）、ＳＥＣＡＭ（順次式カラー・メモリ）及びＡＴＳＣ（高度テレビジョン方式委員会）（ＡＴＳＣ）の現在の勧告、及び提案されている勧告をよく知っていることを前提とする。同様に、本発明の概念以外では、送信の概念（８値残留側波帯（８−ＶＳＢ）、直交振幅変調（ＱＡＭ）など）と、受信器構成部分（無線周波数（ＲＦ）フロントエンドなど）、又は受信器部（低雑音ブロック、チューナ、復調器、相関器、漏れ積分器、及び二乗器など）とを前提とする。同様に、伝送ビット・ストリームを生成するフォーマッティング及び符号化の方法（動画像専門家グループ（ＭＰＥＧ）−２方式標準（ＩＳＯ／ＩＥＣ（１３８１８−１））は周知であり、本明細書では説明しない。更に、本発明の概念は、そういうものとして本明細書では説明しない通常のプログラミング手法を用いて実施することができる。最後に、添付図面上の同じ符号は同様なエレメントを表す。
【実施例】
【０００８】
本発明の概念を説明する前に、ＡＴＳＣ−ＤＴＶシステムに用いる、従来技術の受信器１００の構成図を図１に示す。当該技術分野において知られているように、以下に説明する信号路の一部は複素である。受信器１００は、復調器１５０及び信号処理エレメント１９０を備える。入力信号１０１は、上記「ＡＴＳＣディジタル・テレビジョン標準」によるディジタルＶＳＢ変調信号を表しており、ＦＩＦヘルツの特定のＩＦ（中間周波数）、又はベースバンド近くでセンタリングされている。（以下に更に説明する）復調器１５０は入力信号１０１を復調し、復調信号１５１を信号処理エレメント１９０に供給する。信号処理エレメント１９０は復調信号１５１を処理して出力信号１７１を供給し、出力信号１７１は、当該技術分野において知られている、伝送層のＭＰＥＧ−２シリアル又はパラレルのデータ・パケット及び制御信号を表す。図１に示すように、信号処理エレメント１９０は、以下の処理エレメント、すなわち、同期検出エレメント１５５、等化器１６０、前方誤り訂正（ＦＥＣ）復号器１６５及び出力フォーマッティング器１７０を更に備える。同期検出エレメントはセグメント同期信号及びフィールド同期信号を復元し、後の受信器ブロックに情報を供給する。等化器１６０は、通信チャネル又は更なるフィルタリングによって受信信号にもたらされる線形歪みを補償する。ＦＥＣ復号器１６５は、トレリス復号化、デインタリーブ、リードソロモン（ＲＳ）復号化及び乱数化解除の機能を行う。最後に、出力フォーマッティング器１７０は、受信器１００の他の構成部分（図示せず）によって用いるために信号１７１を介して伝送層のＭＰＥＧ−２シリアル又はパラレルのデータ・パケット及び制御信号を供給する。
【０００９】
復調器１５０に戻れば、かつ、図１に示すように、このエレメントは、アナログ・ディジタル変換器（ＡＤＣ）１０５、自動利得制御（ＡＧＣ）１１０、キャリア・トラッキング・ループ（ＣＴＬ１１５）、ＤＣ除去器１２０、パルス・シェーピング・エレメント１２５、及びシンボル・タイミング・ループ（ＳＴＬ）１３０を備える。入力信号１０１は、サンプリングされた信号に変換するためにＡＤＣ１０５によって（例えば、２５．１４ＭＨｚで）サンプリングされ、サンプリングされた信号は次いで、ＡＧＣ１１０によって利得制御される。ＡＧＣ１１０は、信号フェージングのような外部の障害にもかかわらず安定なレベルに信号電力を調節し、利得制御された信号１１４をＣＴＬ１１５に供給する。ＣＴＬ１１５は上記サンプリング・レートで動作し、利得制御された信号１１４をベースバンドにダウンコンバートし、送信器キャリアと受信器チューナ局所発振器（ＬＯ）（図示せず）との間の周波数オフセットを更に補正してベースバンド信号１１６（複素信号）を供給する。ＤＣ除去器１２０は次いで、ＶＳＢパイロット・キャリア・ダウンコンバージョンから生じ得るベースバンド信号１１６からのＤＣオフセットを除去する。ＤＣ除去器１２０は通常、例えば１ＫＨｚの非常に低い帯域の低域通過フィルタ（ＬＰＦ）である。ＤＣ除去器１２０は、図ではル―ト・レイズド・コサイン・パルス・シェーピング・フィルタであるパルス・シェーピング・エレメント１２５に信号１２１を供給する。結果として生じる、パルス・シェーピングされた信号は次いでＳＴＬ１３０に供給され、ＳＴＬ１３０は、１０．７６ＭＨｚの平均シンボル・レートへのサンプル・レート変換を行い、復調信号１５１を供給する。
【００１０】
前述のように、受信器復調器手法は一般に、その位相及び時間の検出器の設計による固有のキャリア位相及び／又はシンボル・タイミングの不定性を有する。
【００１１】
その結果、復調器がロックすると、受信器の後のブロックに送る出力サンプルは、正しく、かつ最も適切な値を有しない場合がある。このことは、後のブロックが、考えられるこうした不定性を補正し、考えらえるこうした不定性を蒙る恐れがないか、又は標準以下であり、かつ、場合によっては、受け入れることができない特性で動作しなければならないことを示唆している。実際に、より良好かつ高速の等化器コンバージェンスを達成するために、特に等化器が、（複素ではなく）実であり、（分数間隔ではなく）シンボル間隔の等化器である場合に、等化前にこうした復調器不定性を補正することが、多くの場合、望ましい。
【００１２】
したがって、かつ、本発明の原理によって、受信器は、信号に関連した少なくとも１つのＤＣオフセット・レベルを供給するフィルタと、少なくとも１つのＤＣオフセット・レベルの関数として信号の位相を補正する位相補正器とを備える。
【００１３】
本発明の原理による、例証的なテレビジョン受像機１０の概要レベル構成図を図２に示す。テレビジョン（ＴＶ）受像機１０は、受信器１５及びディスプレイ２０を含む。例証的には、受信器１５はＡＴＳＣ互換受信器である。なお、受信器１５は、ＮＴＳＣ（米国テレビジョン方式委員会）互換でもあり得る（すなわち、ＴＶ受像機１０がＮＴＳＣ放送又はＡＴＳＣ放送からのビデオ・コンテンツを表示することができるようにＮＴＳＣ動作モード及びＡＴＳＣ動作モードを有するものでもあり得る）。本発明の概念の説明を簡単にするために、ＡＴＳＣ動作モードのみを本明細書で説明する。受信器１５は、例えば、その上でビデオ・コンテンツを視るためにディスプレイ２０に印加するＨＤＴＶ（高品位ＴＶ）ビデオ信号をそこから復元するよう処理するために放送信号１１を（例えば、アンテナ（図示せず）を介して）受信する。
【００１４】
本発明の原理によれば、受信器１５は、キャリア位相不定性を補正する復調器を含む。受信器１５の適切な部分の例証的な構成図を図３に示す。復調器２００は、ＩＦ周波数（ＦＩＦ）又はベースバンド近くでセンタリングされており、６ＭＨｚ（百万ヘルツ）に等しい帯域幅を有する信号１０１を受信する。以下に更に説明するように、復調器２００は、キャリア位相不定性を補正し、復調された受信ＡＴＳＣ−ＤＴＶ信号１５１を信号処理エレメント１９０に供給する。信号処理エレメント１９０は前述のように、復調信号１５１を処理して出力信号１７１を供給し、出力信号１７１は、当該技術分野において知られているように伝送層のＭＰＥＧ−２のシリアル又はパラレルのデータ・パケット及び制御信号を表す。この例証的な実施例では、復調器２００は、０°、９０°、１８０°又は２７０°のキャリア位相不定性を補正するものとする。
【００１５】
次に図４を参照すれば、復調器２００の適切な部分の例証的な構成図を示す。復調器２００は、ＣＴＬ１１５、ＤＣ除去器２２０（本明細書において、フィルタ２２０としても表す）及び位相補正エレメント２８０を備える。該エレメントは、位相補正器２９０（本明細書において、ローテータ２９０としても表す）及び位相ルックアップ・テーブル２９５を備える。図４に示さない復調器２００の他の構成部分は、前述しており、図１に示すものと同様である。
【００１６】
本発明の原理によれば、復調器２００は、ＶＳＢパイロット・キャリア信号からの情報を用いることによってキャリア位相不定性を補正する。特に、ＶＳＢ仕様（例えば、前述のＡＴＳＣ  Ｄｏｃｕｍｅｎｔ  Ａ／５３  （Ｓｅｐｔｅｍｂｅｒ  １６，  １９９５）には、ゼロ度（０°）位相基準と同相のＶＳＢ信号に付加される微小キャリアとしてのパイロット信号が記載されている。パイロット信号の目的は、復調器のロック基準として用いるものである。ＣＴＬ１１５がロックされると、パイロット信号は、ベースバンド信号１１６において一定の「ＤＣレベル」として現れ、ＤＣ除去器２２０によって除算される。しかし、ベースバンド信号１１６において同相（Ｉ）成分も直交（Ｑ）成分も供給する復調器の場合には、ロックされると復調器のべースバンド出力におけるＤＣレベルとしてパイロット・キャリア信号が現れるので、ＤＣレベルの極性（＋／−）と、一定のＤＣレベルの信号を含む特定の成分（Ｉ／Ｑ）とを観察することによってキャリア位相回転を判定することが可能である。これは図５の表１に示し、表１は、関連したＩ値及びＱ値を特定の回転度について示す。例えば、べースバンド信号１１６を９０°回転させた場合、ベースバンド信号１１６のＱ成分は正（＋）のＤＣレベルを含み、ベースバンド信号１１６を１８０°回転させた場合、ベースバンド信号１１６のＩ成分は負（−）ＤＣレベルを含む。
【００１７】
表１に関しては、この表は、以下の式を用いることによって得られる。
【００１８】
Ｉｂａｓｅｂａｎｄ＝ＤＣ＊（ｃｏｓ（Ｒｏｔａｔｉｏｎ））＋ｊ＊ｓｉｎ（Ｒｏｔａｔｉｏｎ））、及び            （１）
Ｑｂａｓｅｂａｎｄ＝ＤＣ＊（ｓｉｎ（Ｒｏｔａｔｉｏｎ）＋ｊ＊ｃｏｓ（Ｒｏｔａｔｉｏｎ））                （２）
ここで、ＤＣはパイロット信号のレベルに比例する一定値に等しく、Ｒｏｔａｔｉｏｎは、ロック状態下の復調器の固定回転値に等しい。
【００１９】
元々送信されたゼロ位相入力ベースバンド信号が
Ｖｓ＝Ｉｉｎ＋ｊ＊Ｑｉｎ      （３）
の場合、受信信号を不定に回転させると、以下が生じる。
【００２０】
Ｖｒｏｔａｔｅｄ＝Ｖｓ＊ｅｘｐ（ｊ＊Ｒｏｔａｔｉｏｎ）    （４）
ここで、Ｖｒｏｔａｔｅｄは図４のベースバンド信号１１６である。そういうものとして、受信された、補正されていない信号は、
Ｖｒｏｔａｔｅｄ＝Ｉｉｎ’＋ｊ＊Ｑｉｎ’    （５）
である。
【００２１】
次に図６の表２に移れば、この表は、図４に示すエレメントの動作を更に示す。前述のように式（５）から、ベースバンド信号１１６は、それぞれＩｉｎ’及びＱｉｎ’として表すＩ成分及びＱ成分を示す。ＤＣ除去器２２０は、ＶＳＢパイロットによって生じるＤＣオフセットをベースバンド信号１１６から除去し、信号２２１を位相補正器２９０に供給する（ＤＣ除去器２２０のこの部分は、図１のＤＣ除去器１２０のものと同様に機能する）低域通過フィルタである。更に、ＤＣ除去器２２０は、信号２９１によって、ベースバンド信号１１６のＩ成分上及びＱ成分上に存在しているＤＣ極性の測定も備える。位相補正器２９０は、信号２９６の制御下で信号２２１（及び、よってベースバンド信号１１６）の位相を調節し、これは、図６の表２によって位相ルックアップ・テーブル２９５によって判定される。例えば、ベースバンド信号１１６を９０°回転させた場合、ベースバンド信号１１６のＱ成分（Ｑｉｎ’）は、正（＋）のＤＣレベルを含む。この不定性を取り除くために、位相ルックアップ・テーブル２９５は、負（−）の９０°、信号２２１を回転させるよう図４の位相補正器２９０を、信号２９６を介して制御する。図６の表２から分かり得るように、これは、信号２２１の同相成分Ｉｏｕｔを信号２２１の直交成分Ｑｉｎ’に設定し、信号１２１の直交成分Ｑｏｕｔを信号２２１の同相成分−Ｉｉｎ’の負数に設定することによって達成することが可能である。（この意味合いで、ベースバンド信号１１６の同相成分及び直交成分、並びに信号１２１の同相成分及び直交成分への、本明細書中の参照は、交換できる。）別の例として、ベースバンド信号１１６の位相不定性が２７０°であるものとする。この場合、信号１１６の直交成分Ｑｉｎ’において負のＤＣオフセットが存在することになる。この回転を補正する（ねじり戻す）ために、位相ルックアップ・テーブル２９５は、負（−）２７０°、信号２２１を回転させるよう、信号２９６を介して図４の位相補正器２９０を制御する。図６の表２から分かり得るように、これは、信号２２１の直交成分Ｑｉｎ’の負数に信号１２１の同相成分Ｉｏｕｔを設定し、信号２２１の同相成分Ｉｉｎ’に信号２２１の直交成分Ｑｏｕｔを設定することによって達成することが可能である。
【００２２】
手短に図７に移れば、受信器１５において用いる、本発明の原理による例証的な流れ図を示す。工程３１０では、複素信号の各成分のＤＣ極性が判定される。工程３１５では、位相調節が、判定されたＤＣ極性の関数として選択される。更に、工程３２０では、複素信号の位相が、選択された位相調節に応じて調節される。
【００２３】
本発明の原理による位相補正エレメント２８０の概括的な動作は前述の通りであるが、位相補正エレメント２８０が制御信号２９２を有することが図４から分かるはずである。制御信号２９２は、位相補正エレメント２８０の動作モードを制御し、受信器１５のプロセッサ（図示せず）によって供給される。この例では、位相補正エレメント２８０は、２つの動作モード（トラック・モード及びホールド・モード）を有する。しかし、本発明の概念は、それほど限定されるものでない。トラック・モードでは、位相補正エレメント２８０は前述のように機能し、位相ルックアップ・テーブル２９５は、ベースバンド信号１１６をねじり戻すのに必要である適切な位相シフトを判定し、この判定位相シフトを位相補正器２９０に信号２９６を介して供給する。しかし、ホールド・モードでは、位相補正エレメント２８０はベースバンド信号１１６をトラッキングしないが、現在の位相調節をホールドする。特に、位相ルックアップ・テーブル２９５は、ベースバンド信号１１６に存在しているＤＣオフセットにかかわらず、信号２９６上に存在している値をホールドする。すなわち、位相補正エレメント２８０は、トラック・モードにある間にのみベースバンド信号１１６をトラッキングする。図では、位相補正エレメント２８０は、復調器２００が獲得モードにある場合にトラック・モードにある。復調器２００が入力信号１０１を獲得し、入力信号１０１にロックすると、位相補正エレメント２８０は、（例えば、前述のプロセッサ（図示せず）によって）ホールド・モードに設定される。これは、安定出力信号を受信器１５における残りのブロック（図４に示さず）に供給するものである。復調器２００が入力信号１０１にロックされると、更なる処理（（図１に示す）信号処理エレメント１９０の等化器１６０によるものなど）によって、入力信号１０１における更なる変動がトラッキングされることになる。よって、復調器２００が入力信号１０１を獲得した後、受信器１５がロックを失い、再獲得する必要があるまでホールド・モードにおける安定状態に留まる。
【００２４】
次に図８を参照すれば、受信器１５に用いる、本発明の原理による別の例証的な流れ図を、前述のトラック動作モード及びホールド動作モードの意味合いで示す。図８の流れ図は、工程３０５及び工程３２５の追加以外は、図７の流れ図と同様である。工程３０５では、動作モードが判定される。動作モードがトラック・モードの場合、工程３１０、３１５及び３２０が前述のように行われる。しかし、動作モードがホールド・モードの場合、複素信号の位相が、最後に選択された位相調節によって工程３２５で調節され、複素信号の現行のＤＣ極性とは無関係である。
【００２５】
なお、表１及び表２に示すＤＣ極性の同相値及び直交値は完全な入力信号の理想的な状態を表す。現実には、雑音や、理想的でない他の状態によって、これらの値の一方又は両方が非ゼロであることが考えられる。すなわち、表２のＤＣ極性エントリでは、ゼロの値は、雑音等による低いＤＣ値を有し得る。そういうものとして、この可能性に対処するために、位相補正エレメント２８０は、ＤＣ極性値の振幅を用い、どの信号がゼロ値から最も遠いかをみるよう比較する。これが判定されると、位相補正エレメント２８０は、正であるか、又は負であるかをみて、よって、表２において用いるエントリを判定するようゼロから最も遠い値を有する、ベースバンド信号１１６の成分を検査する。すなわち、２つの値のうちの低いほうがゼロとして扱われ、２つの値のうちの高いほうが「ＤＣ」として扱われる。
【００２６】
本発明の概念は、ＶＳＢ復調器によって説明したが、送信された信号において１つ若しくは複数のパイロット・キャリア又はフル・キャリアが存在しているキャリア位相不定性を備える何れかのディジタル復調器に適用することができる。同様に、本発明の概念は、ディジタル・システムのみならず、アナログにも適用される。更に、他の変形が考えられる。例えば、検出器２８０を、受信器内の他の位置（図１のＳＴＬ１３０の後等など）に配置させ得る。
【００２７】
そういうものとして、前述は本発明の原理を例証するものに過ぎない。よって、本明細書に明示していないが、本発明の原理を実施し、その趣旨及び範囲内にある別の数多くの配置を考え出すことができるものである。例えば、別個の機能エレメントの意味合いで例証しているが、こうした機能エレメントは、１つ又は複数の集積回路（ＩＣ）上に実施することができる。同様に、別個のエレメントとして示しているが、そうしたエレメントの何れか又は全てを、関連したソフトウェア（例えば、図示した（例えば、図７等の）１つ又は複数の工程に相当する）を実行するストアード・プログラム制御プロセッサ（例えば、ディジタル信号プロセッサ）において実施することができる。更に、ＴＶ受像機１０内に組み込まれたエレメントとして示しているが、その中のエレメントは、その何れかの組み合わせにおいて別々の装置に分散させることができる。例えば、図２の受信器１５は、装置又はボックス（装置から物理的に別個のセットトップ・ボックスなど）若しくはディスプレイ２０等を組み入れたボックスの一部であり得る。更に、地上波放送の意味合いで説明しているが、本発明の原理は、他のタイプの通信システム（例えば、衛星、ケーブル等）に適用可能である。よって、数多くの修正を例証的な実施例に行うことができ、特許請求の範囲記載の、本発明の趣旨及び範囲から逸脱することなく他の配置を考え出すことができるものとする。
【図面の簡単な説明】
【００２８】
【図１】従来技術のＡＴＳＣ受信器の構成図である。
【図２】本発明の原理を実施する受信器の例証的な概要レベルの構成図である。
【図３】本発明の原理を実施する受信器の例証的な部分を示す図である。
【図４】本発明の原理を実施する受信器の例証的な部分を示す図である。
【図５】表１を示す図である。
【図６】表２を示す図である。
【図７】本発明の原理による例証的な流れ図である。
【図８】本発明の原理による例証的な流れ図である。
【図１】
2007537669.tif 000003
【図２】
2007537669.tif 000004
【図３】
2007537669.tif 000005
【図４】
2007537669.tif 000006
【図５】
2007537669.tif 000007
【図６】
2007537669.tif 000008
【図７】
2007537669.tif 000009
【図８】
2007537669.tif 000010
【国際調査報告】
2007537669.tif 000011
2007537669.tif 000012
2007537669.tif 000013